(57)【要約】【課題】展示空間における照度むらを低減させた発光ダイオード照明装置を提供すること。【解決手段】展示空間１０１の上部１０１ｕにおける背面側に配置された第１の発光ダイオードユニット２０１と、展示空間１０１の上部１０１ｕにおける前面側に配置された第２の発光ダイオードユニット２０２と、展示空間１０１の背面１０１ｂに設けられたパネル２０３とを備えている。第１の発光ダイオードユニット２０１は、配列された第１の複数の発光ダイオード３０１を有している。第２の発光ダイオードユニット２０２は、配列された第２の複数の発光ダイオード３０２と、第２の複数の発光ダイオード３０２を挟んで配置された一対の光リフレクタ３０３とを有している。【選択図】図２
2008186688.tif 000002
【特許請求の範囲】
【請求項１】
商品見本が配置された展示空間を照らす照明装置であり、
配列された第１の複数の発光ダイオードを有しており、前記展示空間の上部における背面側に配置された第１の発光ダイオードユニットと、
配列された第２の複数の発光ダイオードと、前記第２の複数の発光ダイオードを挟んで配置された一対の光リフレクタとを有しており、前記展示空間の前記上部における前面側に配置された第２の発光ダイオードユニットと、
を備えた照明装置。
【請求項２】
前記一対の光リフレクタは、前記第２の複数の発光ダイオードを基準に前記展示空間の前面側に配置された第１の光リフレクタと、前記第２の複数の発光ダイオードを基準に前記展示空間の背面側に配置された第２の光リフレクタとからなることを特徴とする請求項１記載の照明装置。
【請求項３】
前記第２の光リフレクタは、前記第１の複数の発光ダイオードから放射された光を反射する外側表面と前記第２の複数の発光ダイオードから放射された光を反射する内側表面とを有しており、前記第１の複数の発光ダイオードから放射された光が直接達する位置に配置されていることを特徴とする請求項２記載の照明装置。
【請求項４】
前記第２の光リフレクタの前記外側表面が光散乱面であることを特徴とする請求項３記載の照明装置。
【請求項５】
前記第２の光リフレクタの前記外側表面は、前記第２の光リフレクタの前記内側表面より粗い表面状態であることを特徴とする請求項３記載の照明装置。
【請求項６】
前記第１の複数の発光ダイオードは、照度分布の異なる複数の発光ダイオードランプからなることを特徴とする請求項１記載の照明装置。
【請求項７】
前記第２の複数の発光ダイオードは、照度分布の異なる複数の発光ダイオードランプからなることを特徴とする請求項１記載の照明装置。
【請求項８】
前記第１の発光ダイオードユニットまたは前記第２の発光ダイオードユニットの光照射角度を調整する機構をさらに備えたことを特徴とする請求項１記載の照明装置。
【請求項９】
前記一対の光リフレクタは、前記第２の複数の発光ダイオードを基準に前記展示空間の前面側に配置された第１の光リフレクタと、前記第２の複数の発光ダイオードを基準に前記展示空間の背面側に配置された第２の光リフレクタとからなり、
該第２の光リフレクタは、互いに間隔をあけて配列された複数の光反射面からなることを特徴とする請求項１記載の照明装置。
【請求項１０】
前記第１の発光ダイオードユニットおよび前記第２の発光ダイオードユニットが、前記展示空間において、前面方向である第１の方向および該第１の方向に垂直な第２の方向を有する上面に、前記第１の方向に並列して設けられており、
前記第１の発光ダイオードユニットにおける前記複数の発光ダイオードと、前記第２の発光ダイオードユニットにおける前記複数の発光ダイオードとが、前記第２の方向に向かって交互に配置されていることを特徴とする請求項１記載の照明装置。
【請求項１１】
前記第１の発光ダイオードユニットの前記複数の発光ダイオードおよび前記第２の発光ダイオードユニットの前記複数の発光ダイオードが、紫外光または青色光を発生する発光ダイオード素子と、前記紫外光または前記青色光に応じて可視光を放射する蛍光材料と、を備えた発光ダイオードランプであることを特徴とする請求項１記載の照明装置。
【請求項１２】
前記発光ダイオードランプが、複数の光からなる混合光である白色光を発生することを特徴とする請求項１１記載の照明装置。
【請求項１３】
前記第２の発光ダイオードユニットから前記展示空間の前記前面側に放射された光を前記商品見本側へ反射させる手段をさらに備えたことを特徴とする請求項１記載の照明装置。
【請求項１４】
前記第１の発光ダイオードユニットは前記展示空間の背面を照らし、
前記第２の発光ダイオードユニットは前記商品見本の前面を照らす、
ことを特徴とする請求項１記載の照明装置。
【請求項１５】
前記展示空間が、自動販売機の商品見本が置かれる空間であることを特徴とする請求項１記載の照明装置。
【請求項１６】
請求項１５記載の照明装置と、
前記展示空間に置かれた商品見本と、
前記展示空間の前面に設けられた透光性パネルと、を備えた自動販売機。
【請求項１７】
商品見本が配置された展示空間を照らす照明装置であり、
展示空間における背面部を照らす第１の照明手段と、
前記展示空間における前面部を照らすとともに、前記第１の照明手段から前記展示空間の前面側へ放射された光を前記展示空間の背面側へ反射させる第２の照明手段と、
を備えた照明装置。
【請求項１８】
前記第２の照明手段は、前記第１の照明手段から前記展示空間の前記前面側へ放射された前記光を前記展示空間の前記背面側へ乱反射させることを特徴とする請求項１７記載の照明装置。
【請求項１９】
前記第１の照明手段は前記展示空間の背面を照らすものであり、
前記第２の照明手段は前記商品見本を照らすものであることを特徴とする請求項１７記載の照明装置。
【請求項２０】
前記第１の照明手段は前記展示空間の背面を照らして、
前記第２の照明手段は前記照明見本の前面を照らす、
ことを特徴とする請求項１７記載の照明装置。
【発明の詳細な説明】
【技術分野】
【０００１】
本発明は、発光ダイオードを用いた照明装置に関するものである。
【背景技術】
【０００２】
従来、例えば自動販売機などの展示空間の照明には蛍光灯などが用いられてきた。しかし、このような従来から用いられてきた照明装置においては、例えば展示空間の大型化などによって、低消費電力化または長寿命化が求められるようになってきた。このような要求に対して、近年においては、発光ダイオードを用いた照明装置が開発されている。
【特許文献１】特開２００１−２８３３１０号公報
【発明の開示】
【発明が解決しようとする課題】
【０００３】
しかしながら、発光ダイオードを用いた照明装置は、蛍光灯とは異なって点光源に近いものであるため、展示空間における照度むらを低減させることが重要である。本発明は、このような課題に鑑みて案出されたものであり、展示空間における照度むらを低減させた発光ダイオード照明装置を提供することを目的とするものである。
【課題を解決するための手段】
【０００４】
本発明は、展示空間の上部における背面側に配置された第１の発光ダイオードユニットと、展示空間の上部における前面側に配置された第２の発光ダイオードユニットとを備えている。第１の発光ダイオードユニットは、配列された第１の複数の発光ダイオードを有している。第２の発光ダイオードユニットは、配列された第２の複数の発光ダイオードと、この第２の複数の発光ダイオードを挟んで配置された一対の光リフレクタとを有している。
【発明の効果】
【０００５】
本発明の照明装置は、展示空間の上部における背面側に配置された第１の発光ダイオードユニットと、展示空間の上部における前面側に配置された第２の発光ダイオードユニットとを備えている。第２の発光ダイオードユニットは、配列された複数の発光ダイオードと、複数の発光ダイオードを挟んで配置された一対の光リフレクタとを有している。本発明は、このような構成により、展示空間における照度むらが低減されている。
【発明を実施するための最良の形態】
【０００６】
本発明の実施の形態について図面を参照して詳細に説明する。
【０００７】
本発明の照明装置は、展示空間の上部における背面側に配置された第１の発光ダイオードユニットと、展示空間の上部における前面側に配置された第２の発光ダイオードユニットとを備えている。
【０００８】
ここで、図１に示した自動販売機を例に、本発明の照明装置が設置された展示空間について説明する。図１に示した展示空間１０１は、自動販売機における商品見本１０３が置かれる空間である。図１は、本実施の形態における自動販売機の構成を示す正面図である。
【０００９】
本実施の形態の自動販売機は、展示空間１０１を照らす照明部１０２と、展示空間１０１に配置された商品見本１０３とを備えている。図１に示した自動販売機は、展示空間１０１の前面に透光性パネル１０４を備えている。本実施の形態において、パネル１０４の透光性とは、照明部１０２によって発生された光の少なくとも一部が透過できることをいう。
【００１０】
（照明装置の第１の実施の形態）ここで、図２，３を用いて、照明部１０２に設けられた照明装置の第１の実施の形態について詳細に説明する。図２は、本実施の形態における照明装置の構成を示す断面図である。図３は、展示空間１０１の上面の構成を示す図である。図２における“左方向”および“右方向”が、展示空間１０１の“背面方向Ｂ”および“前面方向Ｆ”に対応している。図３において、“左方向”および“右方向”が、展示空間１０１の“背面方向Ｂ”および“前面方向Ｆ”に対応している。
【００１１】
図２に示した構成において、照明装置は、展示空間１０１の上部１０１ｕにおける背面側に配置された第１の発光ダイオードユニット２０１と、展示空間１０１の上部１０１ｕにおける前面側に配置された第２の発光ダイオードユニット２０２とを備えている。図２に示した構成において、パネル２０３が、展示空間１０１の背面１０１ｂに設けられている。
【００１２】
第１の発光ダイオードユニット２０１は、商品見本１０３の背面側に位置する展示空間の背面１０３ｂを照らす。第２の発光ダイオードユニット２０２は、商品見本１０３の前面を照らす。ここで、商品見本１０３の前面とは、図２における視認方向Ｖにおいて、直接見える面のことをいう。商品見本の背面側とは、図２における視認方向Ｖにおいて、商品見本１０３の裏側のことをいう。ここで、商品見本とは、展示専用に作製されたものと、実際に販売されるものとを含む。
【００１３】
図３に示すように、第１の発光ダイオードユニット２０１は、配列された第１の複数の発光ダイオード３０１を有している。図３に示した構成において、第１の複数の発光ダイオード３０１は、前面方向（第１の方向）Ｆとは垂直な方向（第２の方向）に１列に並んでいる。本実施の形態において、複数の発光ダイオード３０１は、各々発光ダイオード素子を備えた複数の発光ダイオードランプである。複数の発光ダイオード３０１の他の例としては、基板に実質的に直接実装された複数の発光ダイオード素子がある。
【００１４】
第１の発光ダイオードユニット２０１の複数の発光ダイオード３０１（複数の発光ダイオードランプ）は、紫外光または青色光を発生する発光ダイオード素子と、紫外光または青色光に応じて可視光を放射する蛍光材料とを備えている。
【００１５】
ここで、図５を用いて、第１の発光ダイオードユニット２０１について詳細に説明する。図５（ａ）は、第１の発光ダイオードユニット２０１の構成を示す平面図である。図５（ｂ）は、図５（ａ）の第１の発光ダイオードユニット２０１のＸ−Ｘ’線における断面図である。第１の発光ダイオードユニット２０１は、基板４０１と、基板４０１上に実装された複数の発光ダイオードランプ４０２（複数の発光ダイオード３０１）とを備えている。複数の発光ダイオードランプ４０２は、パッケージ４０２ａと、パッケージ４０２ａに搭載された発光ダイオード素子４０２ｂと、蛍光体層４０２ｃとを備えている。図５に示した構成において、複数の発光ダイオード３０１は、各々発光ダイオード素子４０２ｂが搭載された複数の発光ダイオードランプ４０２である。
【００１６】
複数の発光ダイオード素子４０２ｂは、紫外光または青色光を発生する。蛍光体層４０２ｃは、発光ダイオード素子４０２ｂから放射された紫外光または青色光に応じて可視光を放射する蛍光材料を有している。図５に示した複数の発光ダイオードランプ４０２は、発光ダイオード素子４０２ｂによって発生された紫外光に応じて蛍光体層４０２ｃから放射された可視光を出す。図５に示した照明装置において、複数の発光ダイオードランプ４０２から放射される可視光は、複数の光からなる混合光である白色光である。
【００１７】
図３に示すように、第２の発光ダイオードユニット２０２は、配列された第２の複数の発光ダイオードユニット３０２と、複数の発光ダイオードユニット３０２を挟んで配置された一対の光リフレクタ３０３とを有している。図３に示した構成において、第２の複数の発光ダイオード３０２は第２の方向に１列に並んでいる。本実施の形態において、複数の発光ダイオード３０２は、各々発光ダイオード素子を備えた複数の発光ダイオードランプである。複数の発光ダイオード３０２の他の例としては、基板に実質的に直接実装された複数の発光ダイオード素子がある。
【００１８】
第２の発光ダイオードユニット２０２の複数の発光ダイオード３０２（複数の発光ダイオードランプ）は、紫外光または青色光を発生する発光ダイオード素子と、紫外光または青色光に応じて可視光を放射する蛍光材料とを備えている。
【００１９】
ここで、図６を用いて、第２の発光ダイオードユニット２０２について詳細に説明する。図６（ａ）は、第２の発光ダイオードユニット２０２の構成を示す平面図である。図６（ｂ）は、図６（ａ）の第２の発光ダイオードユニット２０２のＸ−Ｘ’線における断面図である。第２の発光ダイオードユニット２０２は、基板５０１と、基板５０１上に実装された複数の発光ダイオードランプ５０２（複数の発光ダイオード３０２）とを備えている。複数の発光ダイオードランプ５０２は、パッケージ５０２ａと、パッケージ５０２ａに搭載された発光ダイオード素子５０２ｂと、蛍光体層５０２ｃとを備えている。図６に示した構成において、複数の発光ダイオード３０２は、各々発光ダイオード素子５０２ｂが搭載された複数の発光ダイオードランプ５０２である。
【００２０】
複数の発光ダイオード素子５０２ｂは、紫外光または青色光を発生する。蛍光体層５０２ｃは、発光ダイオード素子５０２ｂから放射された紫外光または青色光に応じて可視光を放射する蛍光材料を有している。図６に示した複数の発光ダイオードランプ５０２は、発光ダイオード素子５０２ｂによって発生された紫外光に応じて蛍光体層５０２ｃから放射された可視光を出す。図６に示した照明装置において、複数の発光ダイオードランプ５０２から放射される可視光は、複数の光からなる混合光である白色光である。
【００２１】
図３に示すように、本実施の形態における第２の発光ダイオードユニット２０２は、配列された複数の発光ダイオードランプ５０２を挟んで配置された一対の光リフレクタ３０３を備えている。図６に示した構成において、一対の光リフレクタ３０３は、一列に配置された複数の発光ダイオードランプ５０２を両側から挟んで設けられている。ここで、本実施の形態において、一対の光リフレクタとは、図３に示すように複数の部材からなる光リフレクタである場合と、図４に示すように一体の光リフレクタにおける複数の部分である場合とを含むものである。一対の光リフレクタは、複数の発光ダイオード３０２を基準に展示空間１０１の前面側に配置された第１の光リフレクタ３０３ｆと、複数の発光ダイオード３０２を基準に展示空間１０１の背面側に配置された第２の光リフレクタ３０３ｂとからなる。
【００２２】
第２の光リフレクタ３０３ｂは、複数の発光ダイオード３０１から放射された光を反射する外側表面３０３ｂｏと、複数の発光ダイオード３０２から放射された光を反射する内側表面３０３ｂｉとを有している。第２の光リフレクタ３０３ｂは、複数の発光ダイオード３０１から放射された光が直接達する位置に設けられている。
【００２３】
ここで、図３，４を用いて、展示空間１０１の上面における構成について詳細に説明する。第１の発光ダイオードユニット２０１および第２の発光ダイオードユニット２０２は、展示空間１０１において、前面方向Ｆである第１の方向および第１の方向に垂直な第２の方向を有する上面に、第１の方向に並列して設けられている。図３，４に示した構成において、第１の発光ダイオードユニット２０１および第２の発光ダイオードユニット２０２は、第１の方向に平行に配置されている。
【００２４】
第１の発光ダイオードユニット２０１の複数の発光ダイオード３０１と、第２の発光ダイオードユニット２０２の複数の発光ダイオード３０２とは、第２の方向に向かって交互に配置されている。すなわち、第１の発光ダイオードユニット２０１の複数の発光ダイオード３０１と、第２の発光ダイオードユニット２０２の複数の発光ダイオード３０２とは、第１の方向と垂直な仮想の基準線Ｒに沿って、仮想の基準線Ｒの前面側および背面側に交互に配置されている。
【００２５】
本実施の形態において、照明装置は、展示空間１０１の背面１０１ｂに設けられたパネル２０３を備えている。ここで、本発明におけるパネルとは、第１の発光ダイオードユニット２０１から放射された光の少なくとも一部を反射するものをいう。
【００２６】
本実施の形態における第１の発光ダイオードユニット２０１および第２の発光ダイオードユニット２０２は、図１に示した自動販売機において複数の商品見本の上方に配置されている。
【００２７】
ここで、図２を用いて、本実施の形態の照明装置の機能について説明する。
【００２８】
第１の発光ダイオードユニット２０１は、展示空間１０１における背面部１０１Ｂを照らしている（第１の照明手段）。図２に示した構成において、第１の照明手段は展示空間１０１の背面１０１ｂを照らす。さらに具体的に説明すると、第１の発光ダイオードユニット２０１は、展示空間１０１の背面１０１ｂに向かって進行する光（１）（２）と、展示空間１０１の前面方向に進行する光（３）とを放射する。
【００２９】
第２の発光ダイオードユニット２０２は、展示空間１０１における前面部１０１Ｆを照らすとともに、第１の発光手段２０１から展示空間１０１の前面方向Ｆへ放射された光を展示空間１０１の背面方向Ｂへ反射する（第２の照明手段）。図２に示した構成において、第２の照明手段は、商品見本２０４を照らす。さらに具体的に説明すると、第２の発光ダイオードユニット２０２は、展示空間１０１における前面部１０１Ｆに進行する光（４）〜（６）を放射する。第２の発光ダイオードユニット２０２の複数の発光ダイオード３０２から展示空間１０１の背面方向Ｂおよび前面方向Ｆに放射された光（４）（６）は、第２の発光ダイオードユニット２０２の背面側光リフレクタ３０３ｂの内面および前面側光リフレクタ３０３ｆの内面によって反射されて、展示空間１０１の前面部１０１Ｆに進む。第１の発光ダイオードユニット２０１から展示空間１０１の前面方向Ｆに放射された光（３）は、第２の発光ダイオードユニット２０２の背面側光リフレクタ３０３ｂの外面によって反射されて、展示空間１０１の背面１０１ｂに向かって進む。
【００３０】
展示空間１０１において、背面１０１ｂに向かって進む光（１）（２）（７）は、パネル２０３によって反射されて展示空間１０１の前面方向Ｆへ進み、展示物２０４を照らす。すなわち、図２に示した構成において、パネル２０３は、第１の発光ダイオードユニット２０１（第１の照明手段）から展示空間１０１の背面側へ放射された光を展示空間１０１の前面側へ反射する機能を有する。
【００３１】
上述のように、本実施の形態における照明装置は、展示空間１０１の上部１０１ｕにおける背面側に配置された第１の発光ダイオードユニット２０１と、前面側に配置された第２の発光ダイオードユニット２０２とを有している。第２の発光ダイオードユニット２０２は、配列された複数の発光ダイオード３０２と、この複数の発光ダイオード３０２を挟んで配置された一対の光リフレクタとを有している。本実施の形態における照明装置は、このような構成により、展示空間１０１における照度むらが低減されている。
【００３２】
（照明装置の第２の実施の形態）ここで、本発明の照明装置の第２の実施の形態について、図７を用いて説明する。本実施の形態の照明装置において、第２の発光ダイオードユニット２０２は、光散乱面である外側表面を有する光リフレクタを備えている。図７に示した構成において、第２の発光ダイオードユニット２０２は、光散乱面である外側表面を有する背面側光リフレクタ（第２のリフレクタ）５０３ｂを備えている。本実施の形態の照明装置における他の構成は、第１の実施の形態の照明装置の構成と同様である。本実施の形態の照明装置において、第１の実施の形態の照明装置における構成と同様の構成には同一の符号を付している。本実施の形態において、第２の発光ダイオードユニット２０２の背面側光リフレクタ５０３ｂは、内側表面より粗い外側表面を有している。
【００３３】
ここで、図７を用いて本実施の形態の照明装置の機能について説明する。第１の発光ダイオードユニット２０１から展示空間１０１の前面方向Ｆに放射された光（３）は、第２の発光ダイオードユニット２０２の背面側光リフレクタ５０３ｂによって乱反射されて、展示空間１０１の背面方向Ｂに進む（７ａ）〜（７ｃ）。すなわち、第２の発光ダイオードユニット２０２（第２の照明手段）は、第１の発光ダイオードユニット（第１の照明手段）から展示空間１０１の前面側へ放射された光を展示空間１０１の背面側へ乱反射させる機能を有している。
【００３４】
第２の発光ダイオードユニット２０２によって展示空間１０１の背面側へ乱反射された光（７ａ）〜（７ｃ）は、展示空間１０１の背面１０１ｂに設けられたパネル２０３によって展示空間１０１の前面方向Ｆへ反射されて（９ａ）〜（９ｃ）、展示物２０４を照らす。
【００３５】
上述のように、本実施の形態における照明装置は、光散乱面である外側表面を有する背面側光リフレクタ（第２のリフレクタ）５０３ｂを備えている。本実施の形態における照明装置は、このような構成により、展示空間１０１の背面側における照度むらがさらに低減されている。
【００３６】
（照明装置の第３の実施の形態）ここで、本発明の照明装置の第３の実施の形態について図８を用いて説明する。本実施の形態の照明装置において、第１の複数の発光ダイオードは、照度分布の異なる複数の発光ダイオードランプ３０１ａ，３０１ｂからなる。本実施の形態の照明装置において、第２の複数の発光ダイオードは、照度分布の異なる複数の発光ダイオードランプ３０２ａ，３０２ｂからなる。本実施の形態の照明装置における他の構成は、第１の実施の形態の照明装置の構成と同様である。本実施の形態の照明装置において、第１の実施の形態の照明装置における構成と同様の構成には同一の符号を付している。
【００３７】
図４は、本実施の形態の照明装置における第１の発光ダイオードユニット２０１の照度分布を示す図である。図５は、本実施の形態の照明装置における第２の発光ダイオードユニット２０２の照度分布を示す図である。
【００３８】
図４において、符号３０１Ａで示す照度分布は、第１の発光ダイオードユニット２０１における発光ダイオードランプ３０１ａの照度分布である。符号３０１Ｂで示す照度分布は、第１の発光ダイオードユニット２０１における発光ダイオードランプ３０１ｂの照度分布である。図４に示すように、本実施の形態において、発光ダイオードランプ３０１ｂの照度分布３０１Ｂは、発光ダイオードランプ３０１ａの照度分布３０１Ａより大きく、複数の発光ダイオードランプ３０１ａの照射分布３０１Ａを連結するものである。
【００３９】
図５において、符号３０２Ａで示す照度分布は、第２の発光ダイオードユニット２０２における発光ダイオードランプ３０２ａの照度分布である。符号３０２Ｂで示す照度分布は、第２の発光ダイオードユニット２０２における発光ダイオードランプ３０２ｂの照度分布である。図５に示すように、本実施の形態において、発光ダイオードランプ３０２ｂの照度分布３０２Ｂは、発光ダイオードランプ３０２ａの照度分布３０２Ａより大きく、複数の発光ダイオードランプ３０２ａの照射分布３０２Ａを連結するものである。
【００４０】
本実施の形態における照明装置は、照明分布の異なる複数の発光ダイオードランプからなる発光ダイオードユニットを備えているものである。本実施の形態における照明装置は、このような構成により、展示空間１０１における照度むらがさらに低減されている。
【００４１】
（照明装置の第４の実施の形態）ここで、本発明の照明装置の第４の実施の形態について図１１を用いて説明する。本実施の形態の照明装置において、第１の実施の形態における照明装置と異なる構成は、第１の発光ダイオードユニット２０１または第２の発光ダイオードユニット２０２の光照射角度を調整する機構をさらに備えている点である。本実施の形態の照明装置における他の構成は、第１の実施の形態の照明装置の構成と同様である。本実施の形態の照明装置において、第１の実施の形態の照明装置における構成と同様の構成には同一の符号を付している。
【００４２】
本実施の形態の照明装置は、第１の発光ダイオードユニット２０１の光照射角度を、展示空間１０１の背面側ｂまたは前面側ｆに調整する第１の機構を備えている。本実施の形態の照明装置は、第２の発光ダイオードユニット２０２の光照射角度を、展示空間１０１の背面側ｂまたは前面側ｆに調整する第２の機構を備えている。
【００４３】
本実施の形態における照明装置は、第１の発光ダイオードユニット２０１の光照射角度を調整する機構を備えていることにより、例えば展示される商品見本の種類が異なる場合にもこの商品見本に対する照度むらがさらに低減されている。本実施の形態における照明装置は、第２の発光ダイオードユニット２０２の光照射角度を調整する機構を備えていることにより、例えば展示される商品見本の種類が異なる場合にもこの商品見本に対する照度むらがさらに低減されている。
【００４４】
（照明装置の第５の実施の形態）ここで、本発明の照明装置の第５の実施の形態について図１２を用いて説明する。本実施の形態の照明装置において、第１の実施の形態における照明装置と異なる構成は、第２の発光ダイオードユニット２０２の第１の光リフレクタ３０３ｆまたは第２の光リフレクタ３０３ｂが互いに間隔をあけて配列された複数の光反射面からなる点である。本実施の形態の照明装置における他の構成は、第１の実施の形態の照明装置の構成と同様である。本実施の形態の照明装置において、第１の実施の形態の照明装置における構成と同様の構成には同一の符号を付している。
【００４５】
本実施の形態における照明装置は、第２の発光ダイオードユニット２０２の第１の光リフレクタ３０３ｆが互いに間隔をあけて配列された複数の光反射面からなることにより、展示空間１０１の前面部における照度むらがさらに低減されている。
【００４６】
本実施の形態における照明装置は、第２の発光ダイオードユニット２０２の第２の光リフレクタ３０３ｂが互いに間隔をあけて配列された複数の光反射面からなることにより、展示空間１０１の背面部における照度むらがさらに低減されている。
【００４７】
（照明装置の第６の実施の形態）ここで、本発明の照明装置の第６の実施の形態について図１３を用いて説明する。本実施の形態の照明装置において、第１の実施の形態における照明装置と異なる構成は、第２の発光ダイオードユニット２０２から展示空間１０１の前面方向Ｆへ放射された光を商品見本２０４側（背面方向Ｂ）へ反射させる手段をさらに備えている点である。本実施の形態の照明装置における他の構成は、第１の実施の形態の照明装置の構成と同様である。本実施の形態の照明装置において、第１の実施の形態の照明装置における構成と同様の構成には同一の符号を付している。
【００４８】
図１３に示した構成において、光反射面６０１が、展示空間１０１の前面１０１ｆに設けられたパネルの表面に設けられている。この光反射面６０１が、第２の発光ダイオードユニット２０２から展示空間１０１の前面方向Ｆへ放射された光を商品見本２０４側（背面方向Ｂ）へ反射する。
【００４９】
本実施の形態における照明装置は、第２の発光ダイオードユニット２０２から展示空間１０１の前面方向Ｆへ放射された光を商品見本２０４側（背面方向Ｂ）へ反射させる手段を備えていることにより、商品見本における照度むらがさらに低減されている。
【００５０】
（照明部１０２の駆動電力の制御）図１４，１５を用いて、本実施の形態における照明部１０２の駆動電力の制御例について説明する。図１４は、照明部１０２の駆動電力の制御の実施の形態を示す自動販売機の正面図である。図１５は、照明部１０２の駆動電力の制御を示す回路ブロック図である。
【００５１】
図１４，１５に示した自動販売機において、照明部１０２は、商品代金が投入されたことに応じて輝度が変化する。さらに具体的には、第１の発光ダイオードユニット２０１の輝度または第２の発光ダイオードユニット２０２の輝度が、商品代金が投入されたことに応じて変化するように制御されている。本実施の形態において、第１の発光ダイオードユニット２０１または第２の発光ダイオードユニット２０２は、商品代金が投入されたことに応じて輝度が高くなるように制御されている。
【００５２】
具体的な構成としては、自動販売機は、商品代金が投入されたことを検出する代金投入センサ７０１と、商品代金の投入検出に応じて駆動電力の供給を制御する駆動電力制御回路７０３と、駆動電力供給回路７０４とを備えている。代金投入センサ７０１は、自動販売機の内部に搭載されており、商品代金が投入されたことに応じて検出信号Ｓ１を出力する。駆動電力制御回路７０３は、検出信号Ｓ１に応じて、駆動電力制御信号Ｓｃｔｌを出力する。駆動電力供給回路７０４は、駆動電力制御信号Ｓｃｔｌに応じて、照明部１０２に駆動電力を与える。
【００５３】
図１４，１５に示した自動販売機において、照明部１０２は、自動販売機の前方の所定エリアに商品の購入者が入ったことに応じて輝度が変化する。さらに具体的には、第１の発光ダイオードユニット２０１の輝度または第２の発光ダイオードユニット２０２の輝度が、自動販売機の前方の所定エリアに購入者が入ったことに応じて変化するように制御されている。本実施の形態において、第１の発光ダイオードユニット２０１または第２の発光ダイオードユニット２０２は、所定エリアに購入者が入ったことに応じて輝度が高くなるように制御されている。
【００５４】
具体的な構成としては、自動販売機は、所定エリアに購入者が入ったことを検出するエリアセンサ７０２と、購入者の検出に応じて駆動電力の供給を制御する駆動電力制御回路７０３と、駆動電力供給回路７０４とを備えている。エリアセンサ７０２は、自動販売機の前面に搭載されており、購入者が所定エリアに入ったことに応じて検出信号Ｓ２を出力する。駆動電力制御回路７０３は、検出信号Ｓ２に応じて、駆動電力制御信号Ｓｃｔｌを出力する。駆動電力供給回路７０４は、駆動電力制御信号Ｓｃｔｌに応じて、照明部１０２に駆動電力を与える。
【００５５】
（照明部１０２の冷却構成）図１６，１７を用いて、本実施の形態における照明部１０２の冷却構成の例について説明する。図１６は、照明部１０２の冷却方法の実施の形態を示す自動販売機の正面図である。図１７は、照明部１０２の冷却方法を示すブロック図である。
【００５６】
図１６，１７に示した自動販売機において、照明部１０２は、自動販売機内に搭載されたコンプレッサなどの装置を冷却する装置によって冷却される。具体的には、本実施の形態において、自動販売機は、照明部１０２およびコンプレッサを冷却する装置９０１を備えている。冷却装置９０１は、自動販売機内に搭載されており、熱を発生する照明部１０２を冷却する。
【図面の簡単な説明】
【００５７】
【図１】第１の実施の形態における自動販売機の構成を示す正面図である。
【図２】第１の実施の形態における照明装置の構成を示す断面図である。
【図３】展示空間１０１の上面の構成を示す図である。
【図４】第１の実施の形態の他の例を示す図である。
【図５】（ａ）は、第１の発光ダイオードユニット２０１の構成を示す平面図である。（ｂ）は、（ａ）の第１の発光ダイオードユニット２０１のＸ−Ｘ’線における断面図である。
【図６】（ａ）は、第２の発光ダイオードユニット２０２の構成を示す平面図である。（ｂ）は、（ａ）の第２の発光ダイオードユニット２０２のＸ−Ｘ’線における断面図である。
【図７】第２の実施の形態における照明装置の構成を示す断面図である。
【図８】第３の実施の形態における照明装置の構成を示す上面図である。
【図９】第１の発光ダイオードユニット２０１の照度分布を示す図である。
【図１０】第２の発光ダイオードユニット２０２の照度分布を示す図である。
【図１１】第４の実施の形態における照明装置の構成を示す断面図である。
【図１２】第５の実施の形態における照明装置の構成を示す上面図である。
【図１３】第６の実施の形態における照明装置の構成を示す断面図である。
【図１４】照明部１０２の駆動電力の制御の実施の形態を示す自動販売機の正面図である。
【図１５】照明部１０２の駆動電力の制御を示す回路ブロック図である。
【図１６】照明部１０２の冷却方法の実施の形態を示す自動販売機の正面図である。
【図１７】照明部１０２の冷却方法を示すブロック図である。
【符号の説明】
【００５８】
１０１    展示空間
２０１    第１の発光ダイオードユニット
２０２    第２の発光ダイオードユニット
２０３    パネル
２０４    展示物
３０１，３０２    複数の発光ダイオード
３０３    一対の光リフレクタ
【図１】
2008186688.tif 000003
【図２】
2008186688.tif 000004
【図３】
2008186688.tif 000005
【図４】
2008186688.tif 000006
【図５】
2008186688.tif 000007
【図６】
2008186688.tif 000008
【図７】
2008186688.tif 000009
【図８】
2008186688.tif 000010
【図９】
2008186688.tif 000011
【図１０】
2008186688.tif 000012
【図１１】
2008186688.tif 000013
【図１２】
2008186688.tif 000014
【図１３】
2008186688.tif 000015
【図１４】
2008186688.tif 000016
【図１５】
2008186688.tif 000017
【図１６】
2008186688.tif 000018
【図１７】
2008186688.tif 000019